(57)【要約】      （修正有）【課題】災害発生時などの非常時にコンパクトで簡単に持ち出し可能であり、簡便に着用可能な状態とし、さらに、災害等が発生していない平常時には着用可能な状態よりも小さく嵩張らない状態とすることが可能である救命胴衣を提供する。【解決手段】緩衝材を内部に有するフード部１と、前身ごろ２１の略中央部で開閉自在であり、前記フード部が少なくとも後ろ身ごろの一端部で着設された本体部２と、前記フード部と前記本体部との境界近傍に固設された付勢手段３と、を有する救命胴衣であって、前記フード部が前記付勢手段によって前記本体部に対して自立可能であることを特徴とする救命胴衣、さらに、前記フード部は、頭頂部に開閉手段を有し、前記頭頂部を開いた状態で平らとなり、前記頭頂部を閉めた状態で人体の頭部を覆う湾曲状となることを特徴とする。【選択図】図１
2013248967.tif 000002
【特許請求の範囲】
【請求項１】
緩衝材を内部に有するフード部と、
前身ごろの略中央部で開閉自在であり、前記フード部が少なくとも後ろ身ごろの一端部で着設された本体部と、
前記フード部と前記本体部との境界近傍に固設された付勢手段と、
を有する救命胴衣であって、
前記フード部が前記付勢手段によって前記本体部に対して自立可能であることを特徴とする救命胴衣。
【請求項２】
前記フード部は、頭頂部に開閉手段を有し、前記頭頂部を開いた状態で平らとなり、前記頭頂部を閉めた状態で人体の頭部を覆う湾曲状となることを特徴とする請求項１に記載の救命胴衣。
【請求項３】
前記開閉手段が、前記フード部の外縁に設けられた紐、ファスナー、面ファスナー、ボタン、フックから選ばれる一つ、又は、それらの組合せであることを特徴とする請求項２に記載の救命胴衣。
【請求項４】
前記フード部に、板状部材が埋設されていることを特徴する請求項１から請求項３のいずれかに記載の救命胴衣。
【請求項５】
前記フード部の側頭部に袋状の物入れを有することを特徴とする請求項１から請求項４のいずれかに記載の救命胴衣。
【請求項６】
前記付勢手段の両端に固設され、前記フード部および前記本体部に埋設された支持軸を有することを特徴とする請求項１から請求項５のいずれかに記載の救命胴衣。
【発明の詳細な説明】
【技術分野】
【０００１】
災害発生時やその他の非常時に、人体の頭部及び体幹を保護するために着用する救命胴衣に関する。さらに詳細には、非常時に簡単に持ち出し可能であり、簡便に着用可能な状態とし、さらに、災害等が発生していない平常時には着用可能な状態よりも小さく嵩張らない状態とすることが可能である救命胴衣に関する。
【背景技術】
【０００２】
災害発生時などの非常時において、特に津波、高潮、集中豪雨などの水難の発生が予想される非常時において、救命胴衣が使用される場合があるが、人体の特に重要な箇所である頭部を効果的に覆うフードを有さない救命胴衣を着用していると、溺れずに水面に漂流することができたとしても、廃材、その他硬い漂流物に頭部が激突して致命的な傷を負う可能性がある。
【０００３】
このような人体の頭部を保護する機能を有する救命胴衣として、例えば、先行特許文献１には、人が水の中に落ちる等の不測の事態が発生した時、人体の頭部を保護する役割を果たし、頭部が衝撃、擦り傷等の傷害を受けるのを避け、また、頭部をフード内の浮き装置によって水面上に押し上げ、人が水の中で気を失った時、頭部が水面下に沈んで溺れるという状況の発生を避けるために、前身ごろと後ろ身ごろを有する本体と、頭部を保護するフードを有する救命胴衣が開示されている。
【先行技術文献】
【特許文献】
【０００４】
【特許文献１】特開２００７−２３８０６４
【発明の概要】
【発明が解決しようとする課題】
【０００５】
しかしながら、先行特許文献１に記載の救命胴衣には、人体の頭部を保護するためのフードを有しているが、常にフードの部分が救命胴衣本体の外に位置するため、平常時に保管する際にはフードの部分が嵩張っていた。
【０００６】
そのため、例えば、小学校、中学校などの教育機関や、複数の職員、従業員を有する役所、企業などにおいて複数の人数分を一括で保管する際には、フードの部分が邪魔となり効率的な収納及び迅速な取り出しに支障を来し、また、個別に教室の椅子の背もたれに被せて保管する、又は、ロッカーなどに収納して保管する際にも、やはりフードの部分が邪魔になり、フードの部分に児童や生徒が引っ掛かり、又は、ロッカーにある他の収納物を取り出すと当該救命胴衣も飛び出すなどの課題があった。
【０００７】
そのため、本発明において、災害発生時などの非常時にコンパクトで簡単に持ち出し可能であり、簡便に着用可能な状態とし、さらに、災害等が発生していない平常時には着用可能な状態よりも小さく嵩張らない状態とすることが可能である救命胴衣を提供することを目的とする。
【課題を解決するための手段】
【０００８】
（１）すなわち、本発明は、緩衝材を内部に有するフード部と、前身ごろの略中央部で開閉自在であり、前記フード部が少なくとも後ろ身ごろの一端部で着設された本体部と、前記フード部と前記本体部との境界近傍に固設された付勢手段と、を有する救命胴衣であって、前記フード部が前記付勢手段によって前記本体部に対して自立可能であることを特徴とする救命胴衣である。
【０００９】
（２）そして、前記フード部は、頭頂部に開閉手段を有し、前記頭頂部を開いた状態で平らとなり、前記頭頂部を閉めた状態で人体の頭部を覆う湾曲状となることを特徴とする前記（１）に記載の救命胴衣である。
【００１０】
（３）そして、前記開閉手段が、前記フード部の外縁に設けられた紐、ファスナー、面ファスナー、ボタン、フックから選ばれる一つ、又は、それらの組合せであることを特徴とする前記（１）又は前記（２）に記載の救命胴衣である。
【００１１】
（４）そして、前記フード部に、板状部材が埋設されていることを特徴する前記（１）から前記（３）のいずれかに記載の救命胴衣である。
【００１２】
（５）そして、前記フード部の側頭部に袋状の物入れを有することを特徴とする前記（１）から前記（４）のいずれかに記載の救命胴衣である。
【００１３】
（６）そして、前記付勢手段の両端に固設され、前記フード部および前記本体部に埋設された支持軸を有することを特徴とする前記（１）から前記（５）のいずれかに記載の救命胴衣である。
【発明の効果】
【００１４】
前記（１）に記載の救命胴衣によれば、災害発生時などの非常時にコンパクトで簡単に持ち出し可能であり、簡便に着用可能な状態とし、さらに、災害等が発生していない平常時には着用可能な状態よりも小さく嵩張らない状態とすることが可能である。
【００１５】
また、前記（２）に記載の救命胴衣によれば、さらに、平常時にもっと小さく嵩張らない状態とすることが可能である。
【００１６】
また、前記（３）に記載の救命胴衣によれば、さらに、非常時にもっと簡便に着用可能な状態とすることが可能である。
【００１７】
また、前記（４）に記載の救命胴衣によれば、さらに、非常時において、人体の頭部を強固に保護することが可能である。
【００１８】
また、前記（５）に記載の救命胴衣によれば、さらに、物入れに、発光装置、又は、ＧＰＳなどの位置情報発信機を予め収納しておくことにより、非常時に、不幸にも流された場合、特に夜間など視覚的に捜索しにくい場合に捜索し易くなる。また、物入れに、食料品、簡易な医療品などを予め収納しておくことに、非常時において延命を図ることができる。
【００１９】
また、前記（６）に記載の救命胴衣によれば、さらに、付勢手段が救命胴衣内で所望の位置から移動することなく安定に保持できるようにし、また、背部から廃材など瓦礫が衝突した際に人体の脊椎が損傷することを防ぐ、又は、緩和することができる。
【図面の簡単な説明】
【００２０】
【図１】本発明の一実施例におけるフード部の頭頂部を開いて本体部に収納した状態を示す正面図である。
【図２】本発明の一実施例における前身ごろを開いてフード部を自立させた状態を示す正面図である。
【図３】本発明の一実施例における前身ごろを開いてフード部を自立させた状態を示す背面図である。
【図４】本発明の一実施例における自立させたフード部の頭頂部を閉めた状態を示す右側面図である。
【図５】本発明の一実施例における自立させたフード部の頭頂部を閉めた状態を示す平面図である。
【発明を実施するための形態】
【００２１】
以下、本発明に係る救命胴衣に関する一の実施形態について詳しく説明する。なお、以下に説明する実施形態は、本発明を実施するに好ましい具体例であるから、技術的に種々の限定がなされているが、本発明は、以下の説明において特に発明を限定する旨が明記されていない限り、これらの形態に限定されるものではない。
【００２２】
図１において、本発明の救命胴衣の一実施例におけるフード部１の頭頂部１１を開いて本体部に収納した状態を示している。本発明の救命胴衣の本体部２は、前身ごろ２１と後ろ身ごろ２２から構成され、前身ごろ２１の略中央部には上下方向、すなわち、本体部２の裾から襟元方向に前身ごろ２１を２分割可能にファスナーである本体部開閉手段２３が着設されている。そして、前身ごろ２１の左右の胸部近傍には胸ポケット２４が、及び、左側の裾近傍には裾ポケット２５が設けられており、小型携帯ラジオ、軽食など避難時に必要とされる種々の小物を収容できるようになっている。なお、本体部開閉手段２３は、ファスナーに限られるものではなく、面ファスナー、ボタン、フックなど前身ごろ２１の左右に開閉することができる種々の手段を使用することができる。また、胸ポケット２４、及び、裾ポケット２５の位置、大きさ、数などは任意に変更することができる。さらに、本体部２の大きさに関しては、子供用、大人用に種々の大きさに設計することができる。
【００２３】
また、前身ごろ２１の左右の肩近傍には、本体部反射板２６が設けられており、災害発生時に水難事故にあった場合に、特に夜間などにおいて捜索され易くなる。さらに、前身ごろ２１、及び、後ろ身ごろ２２の内部には、ポリウレタン、ポリスチロールなどの発泡樹脂（図示しない）を板状に配設されており、水に浸かったときに浮力を発生させ、人体が水中に沈むことを防ぎ、さらには、廃材などの瓦礫から人体の体幹が損傷することを防ぐことができる。本発明の救命胴衣は、この図１における状態で、平常時において、学校、役所、会社のロッカー、倉庫などの収納箇所で保管され、又は、普段座っている椅子の背もたれを前身ごろ２１と後ろ身ごろ２２で挟むようにして椅子に備え付けられて保管されることができる。
【００２４】
図２において、本発明の救命胴衣の一実施例における前身ごろ２１を開いてフード部１を自立させた状態を示している。本発明の救命胴衣のフード部１は、本体部２の後ろ身ごろ２２の一端部である襟元近傍で着設されており、頭頂部１１に相当する外縁には、ファスナーである開閉手段１２が設けられ、フード部１内部に左右一対にアルミニウム等の金属、又は、ポリプロピレン、ポリエチレンフタレートなどの樹脂からなる板状部材１３が埋設されており、頭頂部１１を開いている状態では全体とし略矩形の形状である。この板状部材１３により、非常時には人体の頭部の左側面及び右側面を廃材などの瓦礫によって負傷することをより防ぐとともに、平常時には、頭頂部１１を開いてフード部１を平らにする骨材となり、本体部２に収容し易くなる。また、ファスナーだけでなく、紐を開閉手段１２’として用いることができ、本体部２を着用して、紐を左右に引っ張ることにより、頭頂部１１に相当する外縁が絞られて頭頂部１１となり、人体の頭部を保護することができる。手がかじかみ、ファスナーを素早く閉められないとき、又は、使用者が幼く上手にファスナーを閉められないとき、人体の頭部を素早く保護する開閉手段として有用である。なお、本実施例では、２つの開閉手段１２、１２’を用いているが、紐、ファスナー、面ファスナー、ボタン、フックなどから、単独で、又は、２種類以上組み合わせて使用することができる。
【００２５】
また、フード部１と本体部２との境界近傍である内部に、巻きばねである付勢手段３が固設されており、さらにその巻きばねの両端に棒状の支持軸４が固設されている。一方の支持軸４は、巻きばねの一端部から本体部２の裾に至るまで本体部２に埋設され、他方の支持軸４は、巻きばねの他端部からフード部１の外縁から一部がはみ出すようにフード部１に埋設されている。このフード部１の外縁からはみ出した一部が、本体部２の後ろ身ごろ２２の人体側の下方に設けられた留め具６と係止することができる。この係止を外すことにより、巻きばねの付勢力によって、図２に示すように、フード部１が本体部２に対して自立可能となる。なお、本実施例では付勢手段３として、巻きばねを使用しているが、ゴム、板ばねなど、フード部１が本体部２に対して自立可能とすることができる限り種々の手段を使用することができる。
【００２６】
また、図２に示すように、ゴム、樹脂など弾力性のある素材により作製された筒状の収容体５が、巻きばねである付勢手段３にフード部１と本体部２との境界に沿って１０ｃｍ前後の長さで設けられている。この収容体５に、発光可能な装置を収容しておくことにより、災害発生時に水難事故にあった場合に、その装置のボタンを収容体５の外側から押してＬＥＤライトなどを点灯させ、又は、付勢手段３の付勢力により異なる２種の溶液を混合させて化学発光させ、特に夜間などにおいて捜索され易くなる。また、着用者の住所、氏名、性別、年齢、病歴、持病、服用している薬の種類などのデータが記された記録媒体を収容しておくことにより、着用者の意識がない場合においても的確に処置、家族に連絡が付けられるようにすることができる。さらに、巻きばねと垂直方向に設けられているので、巻きばねが回転することを防ぎ、巻きばねが付勢する方向を安定に保つことができる。
【００２７】
また、本実施例では、巻きばねの両端に支持軸４を固設しているが、支持軸４を設けずに、巻きばねの両端を延長として、支持軸４の代わりとして用いることができる。また、図２において、支持軸４を設けなくても良い。支持軸４を設けない場合などにおいて、留め具６として、図２に示す紐を環状に設けたものでなく、両側から押圧することによって係止を外すことができるプラスチック製のバックルの雌部を設け、そして、フード部１に対応する雄部を設け、係止可能となるようにしても良い。
【００２８】
また、フード部１の内部に、緩衝材であるポリウレタン、ポリスチロールなどの発泡樹脂（図示しない）を板状に配設しており、水に浸かったときに浮力を発生させ、人体が水中に沈むことを防ぎ、さらには、廃材などの瓦礫から人体の体幹が損傷することを防ぐことができる。
【００２９】
図３において、本発明の救命胴衣の一実施例における前身ごろ２１を開いてフード部１を自立させた状態を背面から示している。フード部１における人体の頭部と接する部分とは反対側である外側に、頭頂部１１に開口するように物入れ１４が左右一対に設けられている。種々の小物を入れることができ、樹脂性など防水性の素材で設けられていることが好ましい。また、フード部１の外縁の両端部には矩形の頭頂部反射板１５が設けられている。この頭頂部反射板１５により、災害発生時に水難事故にあった場合に、特に夜間などにおいて捜索され易くなる。なお、図示しないが、後ろ身ごろ２２の一端部である襟元などに、学校、役所、職場の窓際などに平常時は固定しておくことができるフック、面ファスナー、磁石、紐、粘着テープなどの固定手段を設けることができる。この固定手段を設けることにより、一刻を争う非常にも素早く手に取ることができ、本発明の救命胴衣を着用することができる。
【００３０】
図４において、本発明の救命胴衣の一実施例における自立させたフード部１の頭頂部１１を閉めた状態を右側面から示している。図２又は図３における状態から、ファスナーである開閉手段１２により頭頂部１１を閉めて、人体の頭部を覆う湾曲状の形状を形成して、着用状態としている。このように着用状態となると、物入れ１４は、着用者の耳付近に位置し、頭頂部反射板１５が着用者の前頭部付近に位置する。
【００３１】
図５において、本発明の救命胴衣の一実施例における自立させたフード部１の頭頂部１１を閉めた状態を平面（フード部１の上方）から示している。図５は、図４と同様に、図２又は図３における状態から、ファスナーである開閉手段１２により頭頂部１１を閉めて、人体の頭部を覆う湾曲状の形状を形成して、着用状態としている。なお、本発明の救命胴衣に使用される生地としては、防水性であることが好ましい。
【００３２】
次に、本発明の救命胴衣の使用方法を説明する。
【００３３】
まず、平常時において、本発明の救命胴衣は、図１に示す状態で保管されている。そして、津波、高潮、集中豪雨などの水難の発生が予想される非常時において、ファスナーである本体部開閉手段２３を開けて、支持軸４と留め具６との係止を外すと、フード部１が巻きばねである付勢手段３の付勢力により本体部２に対して自立する。そして、フード部１のファスナーである開閉手段１２により頭頂部１１を閉めて、人体の頭部を覆う湾曲状の形状を形成して、着用可能状態とする。
【００３４】
一方、使用後においては、先に記載した手順の反対の作業、すなわち、フード部１のファスナーである開閉手段１２により頭頂部１１を開いて平らな状態として、付勢手段３の付勢力に抗って支持軸４と留め具６とを係止する。そして、ファスナーである本体部開閉手段２３を閉めて、フード部１を本体部２の前身ごろ２１と後ろ身ごろ２２との間に収納して、本発明の救命胴衣を保管する。
【符号の説明】
【００３５】
１・・・フード部
１１・・頭頂部
１２・・開閉手段
１３・・板状部材
１４・・物入れ
１５・・頭頂部反射板
２・・・本体部
２１・・前身ごろ
２２・・後ろ身ごろ
２３・・本体部開閉手段
２４・・胸ポケット
２５・・裾ポケット
２６・・本体部反射板
３・・・付勢手段
４・・・支持軸
５・・・収容体
６・・・留め具
【図１】
2013248967.tif 000003
【図２】
2013248967.tif 000004
【図３】
2013248967.tif 000005
【図４】
2013248967.tif 000006
【図５】
2013248967.tif 000007